(57)【要約】【課題】  光学式ピックアップによりディスクに信号を記録することが出来る光ディスク記録再生装置のレーザー出力制御方法を提供する。【解決手段】  光学式ピックアップ４に組み込まれている温度検出素子１９より得られる検出信号に基づいて光学式ピックアップ４の温度を検出し、その検出された温度に基づいてレーザーダイオード５に供給する駆動電流のレベルを調整するとともにディスクの回転速度に基づいて駆動電流のレベルを補正する。【選択図】    図１
2005339717.tif 000002
【特許請求の範囲】
【請求項１】
光学式ピックアップに組み込まれているレーザーダイオードから照射されるレーザー光にてディスクへの信号の記録動作を行うように構成された光ディスク記録再生装置のレーザー出力制御方法であり、光学式ピックアップに組み込まれている温度検出素子より得られる検出信号に基づいて光学式ピックアップの温度を検出し、その検出された温度に基づいてレーザーダイオードに供給する駆動電流のレベルを調整するとともにディスクの回転速度に基づいて駆動電流のレベルを補正するようにしたことを特徴とする光学式ピックアップのレーザー出力制御方法。
【請求項２】
ディスクの回転速度に基づく駆動電流のレベル補正値をテーブルデータとしてレーザー出力補正データメモリー回路に記憶されているデータに基づいて設定するようにしたことを特徴とする請求項１に記載のレーザー出力制御方法。
【請求項３】
光学式ピックアップに組み込まれているレーザーダイオードから照射されるレーザー光にてディスクへの信号の記録動作を行うように構成された光ディスク記録再生装置のレーザー出力制御方法であり、光学式ピックアップに組み込まれている温度検出素子より得られる検出信号に基づいて光学式ピックアップの温度を検出し、その検出された温度に基づいてレーザーダイオードに供給する駆動電流のレベルを調整するとともに光学式ピックアップの位置に基づいて駆動電流のレベルを補正するようにしたことを特徴とする光学式ピックアップのレーザー出力制御方法。
【請求項４】
光学式ピックアップの位置に基づく駆動電流のレベル補正値をテーブルデータとしてレーザー出力補正データメモリー回路に記憶されているデータに基づいて設定するようにしたことを特徴とする請求項３に記載のレーザー出力制御方法。
【請求項５】
光学式ピックアップに組み込まれているレーザーダイオードから照射されるレーザー光にてディスクへの信号の記録動作を行うように構成された光ディスク記録再生装置のレーザー出力制御方法であり、光学式ピックアップに組み込まれている温度検出素子より得られる検出信号に基づいて光学式ピックアップの温度を検出し、その検出された温度に基づいてレーザーダイオードに供給する駆動電流のレベルを調整するとともにディスクの回転速度及び光学式ピックアップの位置に基づいて駆動電流のレベルを補正するようにしたことを特徴とする光学式ピックアップのレーザー出力制御方法。
【請求項６】
ディスクの回転速度に基づく駆動電流のレベル補正値及び光学式ピックアップの位置に基づく駆動電流のレベル補正値をテーブルデータとしてレーザー出力補正データメモリー回路に記憶されているデータに基づいて設定するようにしたことを特徴とする請求項１に記載のレーザー出力制御方法。
【発明の詳細な説明】
【技術分野】
【０００１】
本発明は、光学式ピックアップに組み込まれているレーザーダイオードから照射されるレーザー光によってディスクに信号を記録するように構成された光ディスク記録再生装置のレーザー出力制御方法に関する。
【背景技術】
【０００２】
光学式ピックアップを用いてディスクに記録されている信号の読み出し動作を行う光ディスク再生装置が普及しているが、再生機能に加えて光学式ピックアップに組み込まれているレーザーダイオードから照射されるレーザー光によってディスクに信号を記録することが出来るように構成された光ディスク記録再生装置が商品化されている。
【０００３】
斯かる光ディスク記録再生装置に使用される光学式ピックアップは、レーザー光を照射するレーザーダイオードに再生動作及び記録動作に必要な駆動電流が供給されるように構成されている。斯かるレーザーダイオードに供給される駆動電流は、再生動作時と比較して記録動作時の方が大きくなるとともに正確な記録動作を行うためにはレーザー出力を正確に保持する必要がある。
【０００４】
レーザーダイオードから照射されるレーザー光のレベルをモニターするモニター用ダイオードを設け、該モニター用ダイオードから得られるモニター信号を利用することによってレーザー光のレベルを所望のレベルに自動的に調整する所謂ＡＰＣ回路と呼ばれる自動出力調整回路によってレーザー出力を調整する技術が開発されている(例えば、特許文献１参照。)。
【０００５】
光学式ピックアップに組み込まれているレーザーダイオードから照射されるレーザーの出力は、レーザーダイオードの温度変化に起因して変化するため、温度変化に基づいてレーザー出力を制御する必要があり、斯かる温度変化を検出することによってレーザー出力を調整する技術が開発されている(例えば、特許文献２参照。)。
【特許文献１】特開２００２−４２３６２号公報
【特許文献２】特開平５−４７０２４号公報
【発明の開示】
【発明が解決しようとする課題】
【０００６】
光学式ピックアップに組み込まれているレーザーダイオードの温度を検出する素子として一般にサーミスタと呼ばれる電子部品が使用されるが、光学式ピックアップの部品配置の規制からサーミスタをレーザーダイオードに接触させて配置させることは困難である。従って、サーミスタは、レーザーダイオードの近くに配置されるもののレーザーダイオード自体の温度を検出するは出来ない。
【０００７】
また、光ディスク記録再生装置においては、記録動作を短時間にて行うためにディスクの回転速度を規定の速度に対して、4倍、８倍及び１２倍等の高速にて回転させて記録動作を行うように構成されている。ディスクを高速にて回転させた場合には、ディスクの回転に伴って発生する空気の流れによって光学式ピックアップに対する冷却動作が行われることになる。
【０００８】
斯かる冷却動作が行われた場合レーザーダイオードの取付位置とサーミスタの取付位置
が相違するため、各部品に対する冷却度が異なることになり、レーザーダイオードの温度変化とサーミスタの検出温度との差が大きくなる。その結果、検出される温度によるレーザー出力の制御動作が正確に行えないことになり、特にレーザー出力のレベルをモニターするモニター用ダイオードが組み込まれていない光学式ピックアップのようにレーザー光のレベルを自動的に調整する自動出力調整回路を備えていない光ディスク記録再生装置では、正確な記録動作や再生動作を行うことが出来ないという問題がある。
【０００９】
本発明は、斯かる問題を解決することが出来る光ディスク記録再生装置のレーザー出力制御方法を提供しようとするものである。
【課題を解決するための手段】
【００１０】
本発明は、光学式ピックアップに組み込まれている温度検出素子より得られる検出信号に基づいて光学式ピックアップの温度を検出し、その検出された温度に基づいてレーザーダイオードに供給する駆動電流のレベルを調整するとともにディスクの回転速度に基づいて駆動電流のレベルを補正するように構成されている。
【００１１】
また、本発明は、光学式ピックアップに組み込まれている温度検出素子より得られる検出信号に基づいて光学式ピックアップの温度を検出し、その検出された温度に基づいてレーザーダイオードに供給する駆動電流のレベルを調整するとともに光学式ピックアップの位置に基づいて駆動電流のレベルを補正するように構成されている。
【００１２】
そして、本発明は、光学式ピックアップに組み込まれている温度検出素子より得られる検出信号に基づいて光学式ピックアップの温度を検出し、その検出された温度に基づいてレーザーダイオードに供給する駆動電流のレベルを調整するとともにディスクの回転速度及び光学式ピックアップの位置に基づいて駆動電流のレベルを補正するように構成されている。
【発明の効果】
【００１３】
本発明は、光学式ピックアップに組み込まれている温度検出素子より得られる検出信号に基づいて光学式ピックアップの温度を検出し、その検出された温度に基づいてレーザーダイオードに供給する駆動電流のレベルを調整するとともにディスクの回転速度に基づいて駆動電流のレベルを補正するようにしたので、ディスクの回転に伴う空気の流れによる冷却作用の変化が温度検出動作に影響を与えてもレーザー出力の制御動作を正確に行うことが出来る。
【００１４】
また、本発明は、光学式ピックアップに組み込まれている温度検出素子より得られる検出信号に基づいて光学式ピックアップの温度を検出し、その検出された温度に基づいてレーザーダイオードに供給する駆動電流のレベルを調整するとともに光学式ピックアップの位置に基づいて駆動電流のレベルを補正するようにしたので、ディスクの回転に伴う空気の流れによる冷却作用が光学式ピックアップの位置に応じて変化しても温度検出動作に対する影響を補正することが出来、レーザー出力の制御動作を正確に行うことが出来る。
【００１５】
そして、本発明は、光学式ピックアップに組み込まれている温度検出素子より得られる検出信号に基づいて光学式ピックアップの温度を検出し、その検出された温度に基づいてレーザーダイオードに供給する駆動電流のレベルを調整するとともにディスクの回転速度及び光学式ピックアップの位置に基づいて駆動電流のレベルを補正するようにしたので、ディスクの回転に伴う空気の流れによる冷却作用が複雑に変化しても温度検出動作に対する影響を補正することが出来、レーザー出力の制御動作を正確に行うことが出来る。
【発明を実施するための最良の形態】
【００１６】
本発明は、光学式ピックアップに組み込まれている温度検出素子による温度検出動作に対するディスクの回転に伴う空気の流れによる冷却作用を考慮してレーザーダイオードに供給される駆動電流のレベルを補正するように構成されている。
【実施例】
【００１７】
図１は本発明に係る光ディスク記録再生装置の一実施例を示すブロック回路図、図２は温度とレーザー出力との関係を示す特性図である。
【００１８】
図１において、１はディスク２が載置されるターンテーブルであり、スピンドルモーター３によって回転駆動されるように構成されている。４はディスク２に記録されている信号の再生動作及び該ディスク２に信号を記録するレーザー光を照射する光学式ピックアップであり、レーザー光を照射するレーザーダイオード５、ディスク２の信号面から反射されるレーザー光を受光し電気信号に変換する光検出器６が組み込まれているとともに対物レンズ(図示せず)をディスク２の信号面に対して直角方向やディスク２の径方向に変位せしめるフォーカシングコイル(図示せず)やトラッキングコイル(図示せず)が周知のように組み込まれている。
【００１９】
７は前記光学式ピックアップ４に組み込まれている光検出器６から得られるＲＦ信号を増幅するとともに波形成形するＲＦ信号増幅回路であり、ディスク２から再生される信号の生成動作を行うとともにフォーカスエラー信号及びトラッキングエラー信号を生成するように、また2値化した信号を出力するように構成されている。
【００２０】
８は前記ＲＦ信号増幅回路７から生成されるフォーカスエラー信号及びトラッキングエラー信号に基づく駆動信号をフォーカシングコイル及びトラッキングコイルに供給することによって周知のフォーカスサーボ動作及びトラッキングサーボ動作を行うピックアップ制御回路である。
【００２１】
９は前記ＲＦ信号増幅回路７から出力される2値化信号が入力されるとともにデジタル信号処理を行うデジタル信号処理回路であり、各種信号の復調動作を行うように構成されている。１０は前記デジタル信号処理回路９にて信号処理されたデジタル信号が入力される信号再生用回路であり、インターフェース回路１１を介して外部に接続されているコンピューター装置１２に再生信号を出力するように構成されている。
【００２２】
１３は前記コンピューター装置１２から出力される命令信号や記録信号がインターフェース回路１１を介して入力されるシステム制御回路であり、光ディスク記録再生装置の各動作を制御するように構成されている。１４は前記システム制御回路１３によって動作が制御されるスピンドルモーター駆動回路であり、前記スピンドルモーター３を回転駆動するように構成されている。
【００２３】
前記スピンドルモーター駆動回路１４によるスピンドルモーター３の回転駆動動作は、例えばディスク２を線速度が一定になるようにおこなわれるが、斯かる線速度を一定にするための制御動作は、ディスク２から再生される同期信号と基準信号発生回路(図示せず)から生成される基準信号とが同期するように行われる。そして、記録動作を高速、例えば８倍にて行う場合には、ディスク２の線速度を８倍にするための制御動作が行われるが、斯かる場合には基準信号発生回路から出力される基準信号の周波数を８倍の周波数に変更することによって行われる。斯かるスピンドルモーター３を線速度一定にて回転駆動させる動作は周知であるのでその説明は省略する。
【００２４】
１５は前記光学式ピックアップ４に組み込まれているレーザーダイオード５に駆動電流を供給するレーザー駆動回路、１６は前記システム制御回路１３から出力される信号に基
づいて前記レーザー駆動回路１５からレーザーダイオード５に供給される駆動電流のレベルを設定するレーザー出力設定回路である。１７はコンピューター装置１２から出力される記録信号が入力される信号記録用回路であり、ディスク２に記録される信号の規格に合うように記録信号をエンコード処理する作用を成すものである。前記信号記録用回路１７によってエンコード処理された信号は、前記レーザー駆動回路１５に入力され、その記録信号に対応したパルス波形の信号が該レーザー駆動回路１５からレーザーダイオード５に供給されることによってディスク２への信号の記録動作が周知のように行われるように構成されている。
【００２５】
１８は前記スピンドルモーター駆動回路１４から得られる信号に基づいてスピンドルモーター３の回転角速度を検出する回転速度認識回路であり、認識した回転速度を示すデータ信号をシステム制御回路１３に対して出力するように構成されている。即ち、ディスク２は、線速度一定にて回転駆動されるため、その角速度は、ディスク２の内周側の位置に光学式ピックアップ４があるとき速くなり、外周側にあるとき遅くなる。
【００２６】
１９は光学式ピックアップ４に組み込まれているサーミスタ等の温度検出素子であり、レーザーダイオード５の近くに配置されている。２０は前記温度検出素子１９の温度変化に伴うインピーダンス変化を検出することによって温度検出を行う温度検出回路であり、検出したデータ信号をシステム制御回路１３に対して出力するように構成されている。
【００２７】
２１はディスク２に記録されているアドレスデータに基づいて光学式ピックアップ４の位置、即ちディスク２の中心から径方向の距離を認識するピックアップ位置認識回路であり、アドレスデータに対応して設定されている距離データに基づいて光学式ピックアップ４の位置を認識することが出来る。
【００２８】
２２は光学式ピックアップ４に組み込まれているレーザーダイオード５にレーザー駆動回路１５から供給される駆動電流のレベルを補正することによって該レーザーダイオード５から照射されるレーザー光のレベルを補正するためのデータが記憶されるレーザー出力補正データメモリー回路であり、システム制御回路１３によって書き込み動作及び読み出し動作が制御されるように構成されている。
【００２９】
図２はディスク２に信号を最適な状態にて記録することが出来る温度とレーザー出力との関係を示す特性図であり、温度Ｔ１、Ｔ２及びＴ３に対してレーザー出力Ｐ１、Ｐ２及びＰ３が前記システム制御回路１３内に組み込まれているメモリー回路２３に記憶されている。記録動作を行う場合に温度検出回路２０による検出動作が行われ、メモリー回路２３に記憶されている温度とレーザー出力との関係から検出された温度に最適なレーザー出力を推定し、レーザー出力設定回路１６に対してそのレーザー出力値にするための制御信号が出力される。例えば、検出された温度がＴ４である場合には、レーザー出力をＰ４にするための制御信号がシステム制御回路１３からレーザー出力設定回路１６に対して出力されるように構成されている。
【００３０】
前記メモリー回路２３に記憶されているデータに基づいて設定されるレーザー出力と温度との関係は、光ディスク記録再生装置の実際の使用状況、即ち外因を考慮したものではない。レーザーダイオード５の温度検出動作は、温度検出素子１９によって行われるが、両者は取り付け位置が相違するため、ディスク２の回転動作に伴って発生する空気の流れによる冷却作用が相違することになる。
【００３１】
そして、斯かる冷却作用の大きさの差は、光学式ピックアップ４のディスク上の位置によっても異なることになる。即ち、光ディスク記録再生装置において、光学式ピックアップ４の上方に配置されるディスクとの間には基板が設けられており、その基板にディスク
４の径方向に沿って形成されている透孔を通してレーザー光のディスク２の信号面に対する照射動作が行われるように構成されている。光学式ピックアップ４がディスク２の信号面を内周側から外周方向へ移動するに従ってディスク２の回転に伴って発生する空気の流れが相違するため光学式ピックアップ４に組み込まれているレーザーダイオード５と温度検出素子１９に対する冷却作用が大きく相違することになる。
【００３２】
本発明では、光学式ピックアップ４のディスク２の径方向における位置変化に対応して変化するレーザーダイオード５及び温度検出素子１９に対する冷却作用の相違に基づく補正データをテーブルデータとしてレーザー出力補正データメモリー回路２２に記憶させる動作が行われる。また、ディスク４の回転速度の相違に対応して変化するレーザーダイオード５及び温度検出素子１９に対する冷却作用の相違に基づく補正データをテーブルデータとしてレーザー出力補正データメモリー回路２２に記憶させる動作が行われる。
【００３３】
以上の如く、本発明に係る光ディスク記録再生装置は構成されているが、次に斯様に構成された回路における再生動作について説明する。コンピューター装置１２から再生動作を行うための命令信号が出力されると、斯かる命令信号がインターフェース回路１１を介してシステム制御回路１３に入力され、該システム制御回路１３による再生動作のための制御動作が開始される。
【００３４】
前記システム制御回路１３による再生制御動作は、フラッシュＲＯＭ等のメモリー回路(図示せず)に記憶されているプログラムに基づいて行われる。斯かる再生動作が行われる場合には、光学式ピックアップ４に組み込まれているレーザーダイオード５には、信号の読み取り動作を行うために必要なレーザー出力が得られる駆動電流がレーザー駆動回路１５より供給されるように設定されている。
【００３５】
斯かる再生動作のための制御動作が開始されると、スピンドルモーター駆動回路１４によるスピンドルモーター３の線速度一定にするための回転制御動作が行われるとともに光学式ピックアップ４のフォーカス制御動作及びトラッキング制御動作が行われる。斯かるフォーカス制御動作及びトラッキング制御動作は、光検出器６より得られる信号から生成されるフォーカスエラー信号及びトラッキングエラー信号を利用してピックアップ制御回路８がサーボ動作を行うことによって行われる。
【００３６】
前述したフォーカス制御動作及びトラッキング制御動作が行われる結果、ディスク２に記録されている信号の再生動作を行うことが出来る。ディスク２に記録されている信号は、光検出器６によって電気信号に変換されて、ＲＦ信号増幅回路７に入力される。前記ＲＦ信号増幅回路７に入力された再生信号は、２値化された後デジタル信号処理回路９に入力される。前記デジタル信号処理回路９に入力された再生信号は、該デジタル信号処理回路９による信号処理動作、即ち復調動作が行われる。斯かる信号復調動作によってディス２に記録されている信号である情報データの抽出動作が行われると、該情報データは誤り訂正等の処理動作が行われた後信号再生用回路１０に印加される。
【００３７】
前記信号再生用回路１０に入力された信号は、インターフェース回路１１を介してコンピューター装置１２に対して出力されることになる。斯かる再生動作が行われる結果、コンピューター装置１２はディスク２に記録されている所望の信号の読み出し動作を行うことが出来る。
【００３８】
以上の如く本実施例における再生動作は行われるが、次に記録動作について説明する。記録用のディスク２をディスクの装着部に挿入すると、該ディスク３の最内周側に設けられている試し書き領域を利用したレーザー出力の設定動作が行われる。
【００３９】
斯かるレーザー出力の設定動作は、試し書き領域にテスト信号をレーザーダイオード５から照射されるレーザー出力を変更させながら記録し、その記録された信号を再生することによって行われる。即ち、テスト信号をレーザー出力を変更させながら記録すると、テスト信号のディスク２への記録状態、即ちピットと呼ばれる凹部の形状が変化することになる。このようにして記録されたテスト信号の再生動作を行い、その再生信号のレベル変化やジッタのレベル等を測定することによって最も良い状態にて記録されたテスト信号を選別することが出来る。このようにして選別された信号が記録されているアドレスデータとそのアドレスデータの位置に記録したレーザー出力との対応をテスト信号の記録動作を行う場合にメモリー回路に記憶させておけば選別された信号を記録したレーザー出力値を選別することが出来る。斯かる選別動作によって得られたレーザー出力値がディスク２に信号を記録する場合に適したレーザー出力としてメモリー回路に記憶される。
【００４０】
このようにしてレーザー出力の設定動作が行われると、ディスク２への信号の記録動作が開始される。コンピューター装置１２から出力される記録信号は、インターフェース回路１１を介して信号記録用回路１７に入力される。前記信号記録用回路１７に入力された記録信号は、エンコード処理された後レーザー駆動回路１５に入力され、その入力された記録信号の長さに応じたパルス形状の駆動電流がレーザー駆動回路１５からレーザーダイオード５に供給される。
【００４１】
このようにしてレーザー駆動回路１５からレーザーダイオード５に供給される駆動電流のレベルは、レーザー出力設定回路１６によって設定されるが、斯かる設定値は、前述したレーザー出力設定動作にて設定された値になるように制御される。このようにしてディスク２への記録動作は行われるが、斯かる記録動作が行われているとき、温度検出回路２０による温度検出動作が行われた状態にある。
【００４２】
前記温度検出回路２０による検出動作が行われると、その検出動作にて検出された温度に応じたレーザー出力のデータがメモリー回路２３から読みだされ、レーザー出力設定回路１６に対するシステム制御回路１３による制御動作が行われる。即ち、斯かる制御動作は、図２に示す温度とレーザー出力との関係から得られるデータに基づいて行われることになり、レーザーダイオード５の温度が変化してもその温度に適したレーザー出力レベルが設定されるので、ディスク２への信号の記録動作を正確に行うことが出来る。
【００４３】
以上に説明したように記録動作及びレーザーダイオード５の温度変化に対応したレーザー出力の設定動作は行われるが、次に本発明のレーザー出力制御動作について説明する。本発明は、前述した温度変化に対するレーザー出力の制御動作を更に正確に行うことが出来る制御方法を提供することを目的とするものである。
【００４４】
ディスク２の回転速度は、線速度一定にて回転駆動されている場合には、内周側で速く、外周側で遅くなる。また、記録速度の高速化によって８倍や１２倍のようにディスク２の回転速度は、変更される。従って、ディスク２の回転速度変化に応じてディスク２の回転に伴って発生する空気の流れが大きく変化し、レーザーダイオード５及び温度検出素子１９に対する冷却作用の程度が大きく異なる。
【００４５】
本発明では、ディスク２の回転速度を回転速度認識回路１８が認識し、その認識された回転速度を示すデータがシステム制御回路１３に入力される。斯かる認識動作によってディスク２の回転速度を認識することが出来、その回転速度に対応してレーザー出力補正データメモリー回路２２に記憶されている補正データの読み出し動作が行われる。
【００４６】
このようにしてレーザー出力補正データメモリー回路２２に記憶されている補正データの読み出し動作が行われると、その補正データに基づく制御信号がシステム制御回路１３
からレーザー出力設定回路１６に対して出力される。その結果、レーザー出力設定回路１６によるレーザー駆動回路１５に対するレーザー出力の設定値が変更せしめられる。斯かる補正動作が行われる結果、レーザー駆動回路１５からレーザーダイオード５に供給される駆動電流のレベルが微妙に変更されることになる。
【００４７】
斯かる駆動電流の変更動作は、ディスク２の回転速度の変化に対応したレーザーダイオード５及び温度検出素子１９に対するディスク２の回転に伴う空気の流れによる冷却作用の相違を補正するものであり、レーザー出力の調整動作を正確に行うことが出来る。
【００４８】
前述した動作は、ディスク２の回転速度変化に対する補正動作であるが、次に光学式ピックアップ４の位置変化に対する補正について説明する。
【００４９】
ディスク２への記録動作は、ディスク２の内周側から外周側に向かって行われるが、斯かる動作が行われているときピックアップ位置認識回路２１によるピックアップの位置を認識する動作が行われている。斯かる認識動作によって光学式ピックアップ４のディスク２上の位置、即ちディスク２の中心から外周方向への距離を認識することが出来、その位置に対応してレーザー出力補正データメモリー回路２２に記憶されている補正データの読み出し動作が行われる。
【００５０】
このようにしてレーザー出力補正データメモリー回路２２に記憶されている補正データの読み出し動作が行われると、その補正データに基づく制御信号がシステム制御回路１３からレーザー出力設定回路１６に対して出力される。その結果、レーザー出力設定回路１６によるレーザー駆動回路１５に対するレーザー出力の設定値が変更せしめられる。斯かる補正動作が行われる結果、レーザー駆動回路１５からレーザーダイオード５に供給される駆動電流のレベルが微妙に変更されることになる。
【００５１】
斯かる駆動電流の変更動作は、光学式ピックアップ４の位置変化に対応したレーザーダイオード５及び温度検出素子１９に対するディスク２の回転に伴う空気の流れによる冷却作用の相違を補正するものであり、レーザー出力の調整動作を正確に行うことが出来る。
【００５２】
以上に説明したように光学式ピックアップ４の位置変化及びディスク２の回転速度の変化に対応したレーザー出力の補正動作は行われるが、両変化に対応させて補正動作を行うことも出来、この場合にはより正確な補正動作を行うことが出来る。
【００５３】
また、本実施例では、光学式ピックアップ４の位置を認識する動作をディスク２から読み出されるアドレスデータを利用して行うようにしたが、光学式ピックアップ４をディスク２の径方向に移動させるピックアップ駆動用モーターの回転数を検出することによってディスク２の中心からの位置を認識するようにすることも出来る。
【００５４】
また、本実施例では、レーザー出力の補正動作を記録動作時において行うようにしたが、これは記録動作時のレーザー出力は再生動作時と比較して大きいこと、またレーザー出力の制御動作を正確に行う必要があるからである。そして、再生動作時にも必要であれば、記録動作時と同様に行うようにすることも出来る。
【図面の簡単な説明】
【００５５】
【図１】本発明の光ディスク記録再生装置の一実施例を示すブロック回路図である。
【図２】温度とレーザー出力との関係を示す特性図である。
【符号の説明】
【００５６】
２        ディスク
３        スピンドルモーター
４        光学式ピックアップ
５        レーザーダイオード
７        ＲＦ信号増幅回路
８        ピックアップ制御回路
９        デジタル信号処理回路
１２        コンピューター装置
１３        システム制御回路
１４        スピンドルモーター駆動回路
１５        レーザー駆動回路
１６        レーザー出力設定回路
１７        信号記録用回路
１８        回転速度認識回路
１９        温度検出素子
２０        温度検出回路
２１        ピックアップ位置認識回路
２２        レーザー出力補正データメモリー回路
【図１】
2005339717.tif 000003
【図２】
2005339717.tif 000004